(57)【特許請求の範囲】
【請求項１】
中核体と、外側花弁とで構成するプリザーブドフラワアレンジメントの製造方法であって、
プリザーブドフラワの花被から複数枚の花弁を分離して前記中核体を形成する中核体形成工程と、
前記外側花弁に突部を形成する突部形成工程と、
前記中核体に対して周上に配置した前記外側花弁と前記中核体とを接着固定する接着工程とを有し、
前記中核体形成工程は、
前記花被から花冠を分離して花床部を形成する花床部形成工程と、
該花床部の外周に沿って配置した、複数枚の花弁で構成した花芯部を形成する花芯部形成工程とを行い、
前記花芯部形成工程は、
前記花弁を複数枚残した前記花冠を起立方向に沿って分割する分割工程を行う
プリザーブドフラワアレンジメントの製造方法。
【請求項２】
花床用ワイヤを、前記花床部の起立方向と交差する方向に貫通させるとともに、両端を前記起立方向の下方に位置するように折り曲げる花床用ワイヤ折曲工程と、
花芯用ワイヤを、前記花芯部を構成する前記花弁を貫通させるとともに、前記花弁の下方に向かって両端を折り曲げる花芯用ワイヤ折曲工程と、
前記花床用ワイヤと前記花芯用ワイヤとを固定する固定工程を行う
請求項１に記載のプリザーブドフラワアレンジメントの製造方法。
【請求項３】
前記花芯部形成工程を、
前記花芯部を形成する前記花弁、前記花弁の基端と先端とを結んだ線を軸として、前記花弁に曲げ加工を施す折曲工程とで構成する
請求項１または請求項２に記載のプリザーブドフラワアレンジメントの製造方法。
【請求項４】
前記折曲工程を、
複数枚の前記花弁を重ね合わせる重ね合わせ工程を有する
請求項３に記載のプリザーブドフラワアレンジメントの製造方法。
【発明の詳細な説明】
【技術分野】
【０００１】
本発明は、プリザーブドフラワを用いたプリザーブドフラワアレンジメントに関する。
【背景技術】
【０００２】
プリザーブドフラワ（ｐｒｅｓｅｒｖｅｄ  ｆｌｏｗｅｒ）とは、生花を化学薬品に漬けることにより長期間保存できるよう加工された花であり、適宜アレンジされてウェディングブーケやインテリアフラワなどに利用されている。
【０００３】
なお、この明細書において「プリザーブドフラワアレンジメント」とは、プリザーブドフラワを加工することにより製造したもの。さらには、それらを組み合わせて製造したブーケやインテリアフラワ等にアレンジしたものを含む意味である。  
また、プリザーブドフラワアレンジメントの製造方法とは、プリザーブドフラワを加工することによりプリザーブドフラワアレンジメントを製造する方法をさす。
【０００４】
プリザーブドフラワは生花に比べて、水やりなどの手間がかからず長期間の保存が可能なことから注目を浴びている。一方で、プリザーブドフラワは脆く壊れやすいため、外力が作用しやすく花弁が壊れやすい開花状態でなく、花弁が外に広がっていないつぼみの状態や半開花状態の生花を加工して製品とすることが一般的であった。  
しかし、このようなつぼみ状態や半開花状態でのプリザーブドフラワは柔らかさや瑞々しさを有する美しい外観であるものの、見た目には単調であった。
【０００５】
このような、問題点を解消するために、分離した花弁に創作手段を２つ以上加えることにより、個性的で美麗なプリザーブドフラワアレンジメントを得られる発明が特許文献１に記載されている。なお、創作手段とは、例えば、分離した花弁をカットしたり、裏返したり、上下逆さまにしたりすることなどをいう。
【０００６】
特許文献１に記載の発明によると、花弁を重ね合わせて作った中心部に、創作手段を２つ以上加えた別の花弁を接着剤で固定することにより、創作する作者の個性を十分に発揮することができる美麗なプリザーブドフラワアレンジメントを提供することができると考えられている。
【０００７】
しかしながら、特許文献１に記載の発明では、従来にない花の形状を表現できるものの、花弁を加工して創作するプリザーブドフラワアレンジメントであるため、その表現できるプリザーブドフラワアレンジメントは主に花弁の形状や配置に特徴を有するものであり、製造できるプリザーブドフラワアレンジメントの開花状態や中心部分の形状などは種類が限られていた。
【先行技術文献】
【特許文献】
【０００８】
【特許文献１】特許３９５７２１６号公報
【発明の概要】
【発明が解決しようとする課題】
【０００９】
多様な形状を表現したプリザーブドフラワアレンジメントおよび、その製造方法を提供することを目的とする。
【課題を解決するための手段】
【００１０】
この発明は、プリザーブドフラワにおいて花被から少なくとも複数枚の花弁が分離された中核体と、花弁の表面に突部を形成した外側花弁とを備え、前記中核体を、前記花被から花冠を分離した際に残る花床部と、該花床部の外周に沿って配置した、複数枚の花弁で構成した花芯部とで構成するとともに、前記花芯部を、
前記起立方向に沿って前記花冠を分割した分割花冠で構成し、前記中核体に対して周上に配置した複数の外側花弁の前記突部を前記花芯部に接着固定したプリザーブドフラワアレンジメントであることを特徴とする。
【００１１】
またこの発明は、プリザーブドフラワの花被から複数枚の花弁を分離して中核体を形成する中核体形成工程と、外側花弁に突部を形成する突部形成工程と、前記中核体に対して周上に配置した前記花弁と前記中核体とを接着固定する接着工程とを有し、前記中核体形成工程を、前記花被から花冠を分離して花床部を形成する花床部形成工程と、該花床部の外周に沿って配置した、複数枚の花弁で構成した花芯部を形成する花芯部形成工程とで構成し、前記花芯部形成工程を、前記花弁を複数枚残した前記花冠を、前記起立方向に沿って分割する分割工程とするプリザーブドフラワアレンジメントの製造方法であることを特徴とする。
【００１２】
前記花被とは、花柄（枝や茎）の先端であって花弁（花びら）やおしべ、めしべ、萼などがつく花床と花弁の集合体である花冠とで構成されるプリザーブドフラワの構成要素である。  
中核体とは、前記花被から前記花床を分離することで得られる前記花冠から複数枚の花弁を分離して残った花冠部分や、前記花被から前記花冠を分離して残った前記花床のみからなるもの、前記花冠から複数枚の前記花弁を分離して残った前記花冠と前記花床からなるもの、前記花弁を分離した前記花冠又は前記花床に対して加工した花弁を貼り付けたものなどを含む概念である。
【００１３】
前記外側花弁とは、前記花被から分離した花弁や、他のプリザーブドフラワから分離した花弁、生花やドライフラワから分離した花弁、合成樹脂などにより人工的に作られた花弁などを含む概念であり、また、プリザーブドフラワアレンジメントの作業者以外の者が分離した花弁、あるいは、別途購入した花弁単体なども含む概念である。
【００１４】
また、前記外側花弁は、前記外側花弁と同種のプリザーブドフラワから分離した花弁である場合や、種類の異なるプリザーブドフラワから分離した花弁である場合、前記外側花弁または前記花弁の一方を生花やドライフラワから分離した花弁とし、他方をプリザーブドフラワから分離した花弁とする場合などを含む概念である。
【００１５】
さらにまた、前記外側花弁の形状はいかなる形状でもよく、前記花被または前記花冠から分離したままの形状や、例えば、はさみなどを用いて前記花弁の端部などを切りとった形状、花弁の全体又は部分に切り目や模様などを入れた形状、前記花弁に曲げ加工などを加えて変形させた形状などを含む概念である。換言すると、前記花弁のそのままの形状の他、前記花弁に加工を施した形状などを含む概念である。
【００１６】
前記花弁とは、前記外側花弁と同様に、前記花冠から分離させた花弁や、他のプリザーブドフラワから分離した花弁、生花やドライフラワから分離した花弁、前記プリザーブドフラワアレンジメントの作業者以外の者が分離した花弁、別途購入した花弁単体などを含む概念である。
【００１７】
また前記花弁は、前記外側花弁と同種のプリザーブドフラワから分離した花弁である場合や、種類の異なるプリザーブドフラワから分離した花弁である場合、前記外側花弁または前記花弁の一方を生花やドライフラワから分離した花弁とし、他方をプリザーブドフラワから分離した花弁とする場合などを含む概念である。
【００１８】
また、上記花弁で構成したとは、花冠から分離させた一枚の花弁のそのままの形状である場合や、分離させた花弁をそのまま複数枚規則正しく又は不規則に重ね合わせた構成のほか、一枚または複数枚の花弁を曲げ加工して構成した場合、一枚または複数枚の花弁を丸めた構成とした場合、一枚または複数枚の花弁を規則正しく又は規則性なく曲げ加工した構成とした場合、あるいは、これらの構成を有する花弁にはさみなどを用いて加工を施した構成などを含む概念である。
【００１９】
この発明により、多様な形状を表現したプリザーブドフラワを提供することができる。  
例えば、前記中核体を前記花被から複数枚の花弁を分離した構成とすることにより、前記花床と前記花冠とが一体となっている自然な状態の中核体を用いることができる。また、例えば、前記中核体を前記花被から前記花弁を分離した前記花床に対して、加工した前記花弁を貼り付けた形状とすることで新たな形状の前記中核体を作り出すことができる。このように、プリザーブドフラワアレンジメントの中心部分である中核体の形状を新たな形状とすることができる。
【００２０】
また、前記外側花弁に形成した前記突部と前記中核体とを接着固定する構成とすることで、前記突部の形状に合わせて前記外側花弁を前記中核体に接着固定することができ、前記外側花弁を貼り付ける角度を前記突部の形状に合わせて調整することができる。
【００２１】
具体的には、前記突部の形状が断面円弧状に形成されている場合に、前記中核体に貼り付ける前記突部の位置を変更することにより、前記外側花弁を貼り付ける角度を調整することができる。このため、前記外側花弁を前記中核体に対して所望の角度を有するように貼り付けることができる。したがって、多様な形状を表現できる前記中核体に、所望の開花状態に合わせて前記外側花弁を貼り付けることができる。
【００２２】
このため、全体として自然に開花している状態に近いプリザーブドフラワアレンジメントのみならず、自然界には存在しない状態の美麗なプリザーブドフラワアレンジメントなど多様な表現をしたプリザーブドフラワアレンジメントを製造することができる。
【００２３】
さらにまた、外側花弁を同種の若しくは種類の異なるプリザーブドフラワのみならず生花やドライフラワなどから分離した花弁を用いることで、従来のプリザーブドフラワアレンジメントにはない新たな表現をすることができる。これにより、様々な開花状態を表現したプリザーブドフラワアレンジメントを製造することができるだけでなく、多様なイメージを具現化して表現することができる。
【００２４】
また、前記中核体を、前記花被から花冠を分離した際に残る花床部と、該花床部の外周に沿って配置した、複数枚の花弁で構成した花芯部とで構成し、複数の前記外側花弁を前記花芯部に接着固定することにより、プリザーブドフラワアレンジメントの中心部分を形成する前記中核体を様々な形状に加工することができ、実際に存在する花以外にも中心部分に特徴のある自然界には存在しない花を表現したプリザーブドフラワアレンジメントなどを製造することができ、美観に優れたプリザーブドフラワアレンジメントを提供することができる。
【００２５】
また、前記花芯部を、前記起立方向に沿って前記花冠を分割した分割花冠で構成することにより、プリザーブドフラワアレンジメントを迅速に製造することができる。  
プリザーブドフラワは、上述のように、生花を化学薬品に浸すことにより、長時間美しい状態維持することができるが、反面外力に対して脆いという欠点を有する。そのため、例えばプリザーブドフラワアレンジメントを製造する際に時間や手間をかけると、それだけ花弁などに外力が加わる可能性が高くなり、花弁などが壊れる可能性が高くなる。
【００２６】
しかし、この発明により、前記花弁が所定の枚数となった前記花冠から前記花弁を一枚一枚分離する必要が無く、短時間で前記花芯部の準備をすることができる。したがって、迅速にプリザーブドフラワアレンジメントを製造することができる。
【００２７】
また、プリザーブドフラワアレンジメントを迅速に製造することができるため、前記花弁の損傷を極力減らすことができる。したがって、プリザーブドフラワアレンジメントを製造する際に使用するプリザーブドフラワの本数も少なくすることができ、費用の削減を図ることができる。
【００２８】
さらにまた、分離された花芯部を構成する花弁の重なり具合は、人工的に重ね合わせた花弁の重なり具合と異なり、自然に近い状態であるため、従来にない新たな形状を有するプリザーブドフラワアレンジメントを提供することができる。
【００２９】
またこの発明の態様として、前記花床部の起立方向と交差する方向に貫通するとともに、両端を前記起立方向の下方に向かって折り曲げて前記花床部に固定する花床用ワイヤと、前記花芯部を貫通するとともに、所定の方向に向かって両端を折り曲げた花芯部と固定した花芯用ワイヤとを備え、前記花床用ワイヤと前記花芯用ワイヤとを固定することができる。
【００３０】
前記起立方向とは、前記花床部の起立する方向、すなわち、前記花床部が茎側から花冠の中心方向に伸びている方向をいう。  
上記所定の方向とは、前記花芯部を前記花床部の周囲方向に配置させた際に、前記花芯用ワイヤが前記花床用ワイヤの方向を向く方向をいう。換言すると、上記所定の方向とは、前記花芯部を花床部の周囲方向に配置させた際に、前記花芯部に貫通させて両端を折り曲げた前記花芯用ワイヤが、前記花床用ワイヤの折り曲げられている方向に向かうようになる方向を指す。
【００３１】
なお、前記花床用ワイヤおよび前記花芯用ワイヤの材質は、所要の強度を有していればよく、また、人力若しくは道具を用いることで曲げることができる材質であれば材質は問わず、例えば、ステンレス線や鉄線、真鍮線、アルニミウム合金やチタン合金などの他の合金で形成された針金などを含む概念である。
【００３２】
この発明により、前記中核体を構成する前記花床部と前記花芯部とを強固に固定することができる。  
詳述すると、前記花床部に貫通させて両端を起立方向の下方に折り曲げて前記花床部と固定した前記花床用ワイヤと、前記花芯部を貫通させるとともに、所定の方向に向けて折り曲げた前記花芯用ワイヤを備えることにより、前記花床部の外周に沿って配置した前記花芯部を貫通する前記花芯用ワイヤを前記花床用ワイヤの方向を向くようにすることができる。
【００３３】
ここで、前記花床用ワイヤは、花床部と固定されているため、例えば、前記花床部に対して前記花芯部を接着固定した後に、前記花芯用ワイヤを前記花床用ワイヤに巻きつけたり、花芯用ワイヤと花床用ワイヤとをまとめてテープで固定したりすることで、前記花芯部と前記花床部とが固定される。これにより、前記花芯部と前記花床部との強固に固定され、前記花芯部と前記花床部とが一体として構成される。
【００３４】
これにより、例えば、大きめの前記外側花弁や大量の前記外側花弁を前記花芯部に貼り付けた場合であっても、前記花芯部は貼り付けた複数の花弁の重みを十分に支えて前記花床部と固定することができる。したがって、従来にない形状を有する豪華なプリザーブドフラワアレンジメントを製造することができる。
【００３５】
さらにまたこの発明の態様として、前記花芯部を形成する前記花弁を、前記花弁の基端と先端とを結んだ線を軸として、前記花弁に曲げ加工を施した湾曲花弁で構成することができる。
【００３６】
上記湾曲花弁とは、前記花弁を曲げ加工した際に対向する面同士が、全面において重ね合わさるように曲げ加工した前記花弁、前記花弁の対向する面同士の一部分が重ね合わさるように曲げ加工した前記花弁を含む概念である。
【００３７】
この発明により、前記中核体を起立方向に対して交差する方向に広がりを有する立体的な形状とすることができるとともに、中心部分を豪華にすることができ、従来にない形状のプリザーブドフラワアレンジメントを提供することができる。
【００３８】
詳述すると、上記曲げ加工を行った前記花芯部を前記花床部の周方向に配置することにより、前記中核体が起立方向に対して交差する方向に広がりを有することができる。また、前記曲げ加工を行った前記花芯部が立体的な広がりに加えて、前記花床部の中心方向に向かった線を表現することができる。このため、従来のように中核体の周方向に花弁などが積層された形状のみならず、前記中核体の中心に向かって伸びる線を表現として取り入れたプリザーブドフラワアレンジメントを製造することができる。したがって、前記中核体を豪華な構成とするとともに、従来にない新たな表現を取り入れたプリザーブドフラワアレンジメントを製造することができる。
【００３９】
さらにまた、例えば、曲げ加工した際の前記先端と前記他端とを結んだ線を含む花弁の中心部分が曲線で構成されている場合、これらの前記花芯部を前記花床部に配置させた前記中核体はより柔らかい印象を与えることができる。
【００４０】
さらにまたこの発明の態様として、前記湾曲花弁を、複数枚の前記花弁を重ね合わせた構成することができる。  
上記重ね合わせとは、例えば一枚一枚の前記花弁の向きが同方向となるように重ね合わせた場合や、異なる方向となるように重ね合わせた場合、複数の前記花弁を重ね合わせた際に、個々の花弁の一部分のみが重なり合っている場合などを含む概念である。
【００４１】
この発明により、起立方向に交差する方向に対してより厚みを有するとともに、曲線が重なることにより見た目が豪華な前記中核体を形成することができ、より美麗なプリザーブドフラワアレンジメントを提供することができる。
【発明の効果】
【００４２】
本発明により、従来にない新たな形状を表現したプリザーブドフラワアレンジメントおよびプリザーブドフラワアレンジメントの製造方法を提供することができる。
【図面の簡単な説明】
【００４３】
【図１】プリザーブドフラワアレンジメントの概略斜視図。
【図２】プリザーブドフラワアレンジメントの製造方法を示すフローチャート。
【図３】プリザーブドフラワの分解斜視図。
【図４】花床部の作成工程の説明図。
【図５】花冠分割工程および湾曲工程の説明図。
【図６】花芯部の作成工程の説明図。
【図７】花芯部と花床部との接着固定を示した説明図。
【図８】花芯部と花床部との接着固定を示した説明図。
【図９】外側花弁を中核体に接着する接着工程の説明図。
【図１０】中核体に接着した外側花弁の角度調整の説明図。
【図１１】外側花弁を中核体に接着する接着工程の説明図。
【図１２】1枚の花弁の湾曲工程の説明図。
【図１３】プリザーブドフラワの概略斜視図。
【発明を実施するための形態】
【００４４】
以下、本発明によるプリザーブドフラワアレンジメントについて図１乃至図１３に基づいて説明する。
【００４５】
図１はバラのプリザーブドフラワアレンジメント１の概略斜視図を示し、図２はバラのプリザーブドフラワアレンジメント１の製造工程を示すフローチャートを示し、図３乃至図１１は該フローチャートに沿って各構成の作り方を説明した説明図を示す。
【００４６】
具体的には、図３はバラのプリザーブドフラワ５の分解斜視図を示し、図４は花床部１１の製造工程の説明図を示し、図５および図６は花芯部１２の製造過程の説明図を示す。図７および図８は花床部１１と花芯部１２との接着固定の説明図を示し、図９および図１１は外側花弁２０を中核体１０に接着する接着工程の説明図を示し、図１０は中核体に接着した外側花弁の角度調整の説明図を示す。
【００４７】
詳しくは、図７（ａ）及び図８(ａ)は花床部１１と花芯部１２との接着固定の上面図を示し、図７（ｂ）及び図８(ｂ)は花床部１１と花芯部１２との接着固定の側面図を示す。図９（ａ）及び図１１(ａ)は、中核体１０に外側花弁２０を接着する接着固定の上面図を示し、図９（ｂ）及び図１１(ｂ)は、中核体１０に外側花弁２０を接着する接着固定の側面図を示す。
【００４８】
図１０（ａ）は、中核体１０に外側花弁２０を接着する接着固定の側面図をしめし、図１０（ｂ）、図１０（ｃ）及び図１０（ｄ）は、図１０（ａ）の点線で囲んだ箇所の拡大図であり、中核体に接着した外側花弁２０の角度調整の説明図を示す。  
図１２は、花弁1枚に対する湾曲工程の説明図であり、図１３はプリザーブドフラワ１００の概略斜視図を示す。
【００４９】
ここで図１、図３および図１３において、バラのプリザーブドフラワアレンジメント１またはバラのプリザーブドフラワ５の花柄が伸びている方向を上下方向（Ｚ軸方向）とし、花柄に対して花被がある方向を上方向（＋Ｚ方向）、逆方向を下方向（−Ｚ方向）とする。また、Ｚ軸方向に対して垂直な方向であって、右奥側から左手前に伸びる方向をＸ軸方向、右奥方向を−Ｘ方向、左手前に伸びる方向を＋Ｘ方向とする。さらにまた、Ｚ軸方向およびＸ軸方向に対して垂直な方向をＹ軸方向とし、右奥方向を−Ｙ方向、左手前方向を＋Ｙ方向とする。  
なお図４乃至図１１においては、図１と同様の方向となるように図示している。  バラのプリザーブドフラワアレンジメント１は、図１に示すように、花の中心部分を構成する中核体１０、中核体の外周に貼り付けられた外側花弁２０および茎体３０を備えている。  
中核体１０は、バラのプリザーブドフラワアレンジメント１の中心部分に形成される花床部１１と、花床部１１の周上に配置される花芯部１２とから構成されている。
【００５０】
花床部１１は、バラのプリザーブドフラワ５を花床６０と花冠７０に分解した際の花床６０からおしべやめしべなど生殖器官６１や萼６２などを取り除いた部分であり（図３および図４（ａ）参照）、上面に半球がついているコーン状の形状をしている。
【００５１】
なお、本実施形態においては、生殖器官６１や萼６２などを取り除いているが、必ずしも取り除かなければならないものではなく、生殖器官６１または萼６２の一方を取り除いたものや、双方を残したままの花床６０を花床部１１として用いても良い。
【００５２】
花芯部１２は、複数枚の花弁７１で形成されている花冠７０を２つに分割することにより得られた分割花冠１２１を湾曲させることにより形成された略円錐台形状の筒体であり、花床部１１の周上を等間隔に４つ配置されている。
【００５３】
外側花弁２０は、花冠７０から分離した花弁７１（図１３参照）を中核体１０の周りに貼り付けられた花弁であり、外側花弁２０の表面には突部２１を有する。  
突部２１は、花弁の外側から内側に、すなわち外側花弁の裏面から表面に向けて凸状に形成され、断面が円弧状となるように外側花弁２０の基端側近傍に形成されている。
【００５４】
なお、本実施例において、外側花弁２０は花冠７０から分離した花弁７１としているが、この実施形態に限定される必要はなく、例えば、他のプリザーブドフラワから分離した花弁、生花やドライフラワから分離した花弁、合成樹脂などにより人工的に作られた花弁などでもよく、また、プリザーブドフラワアレンジメントの作業者以外の者が分離した花弁、あるいは、例えば別途購入した花弁単体などであってもよい。
【００５５】
バラのプリザーブドフラワアレンジメント１の茎部分を形成する茎体３０は、花床用ワイヤ３１（図４参照）、複数の花芯用ワイヤ３２（図６参照）およびテープ３３から構成されている。  
花床用ワイヤ３１は、花床部１１の下方をＹ軸方向に沿って貫通するとともに、両端を下方（−Ｚ軸方向）に曲げたワイヤであり、花床部１１の下端部分から花床用ワイヤ３１の両端部分までをテープ３３で巻きつけて固定している（図４参照）。
【００５６】
同様に花芯用ワイヤ３２は、花芯部１２の下端部分を貫通するとともに、両端を図６中の下方に曲げたワイヤであり、花芯部１２の下端部分から花床用ワイヤ３１の両端部分までをテープ３３で巻きつけて固定している（図６参照）。
【００５７】
テープ３３は緑色のテープであり、上述のように、花床用ワイヤ３１および花芯用ワイヤ３２をそれぞれ巻きつけるだけでなく、花床部１１と花芯部１２とを接着固定したときに花床用ワイヤ３１と複数の花芯用ワイヤ３２とをまとめて巻きつけるさいにも用いるテープである。
【００５８】
なお、本実施例において、テープ３３の色は茎をイメージした緑色としているが、緑色に限定されるわけでなく、例えば、バラのプリザーブドフラワアレンジメント１をウェディング用ブーケなどに用いる場合には、下地の色や全体の色に合わせて白色などを用いても良い。すなわち、テープ３３の色はどのような色でもよく、使用態様や製造するバラのプリザーブドフラワアレンジメント１に応じて適宜変更しても良い。
【００５９】
以下において、上記構成を有するバラのプリザーブドフラワアレンジメント１の製造方法について、図２乃至図１１に基づいて簡単に説明する。  
バラのプリザーブドフラワアレンジメント１は、図２に示すように、花床部形成工程（ステップｓ１）から接着工程（ステップｓ８）までの８工程を行うことにより製造される。
【００６０】
まず、花床部形成工程（ステップｓ１）において、バラのプリザーブドフラワ５から花冠７０を分離させて花床６０を残す（図３参照）。そして、残った花床６０から生殖器官６１や萼６２を取り除き花床部１１を用意する。
【００６１】
次に、図４に示すように、＋Ｙ方向から−Ｙ方向に花床用ワイヤ３１を花床部１１の下端部に貫通させ（図４（ａ）参照）、花床部１１を中心として花床用ワイヤ３１の＋Ｙ方向およびＹ方向に露出した部分の長さが略等しい長さとなるように調整する。そして、図４（ｂ）に示すように、貫通させた花床用ワイヤ３１の両端が下方（−Ｚ方向）に向くように、花床部１１を貫通した花床用ワイヤ３１の露出部分を曲げる。最後に、図４（ｃ）に示すように、花床部１１の下端部から花床用ワイヤ３１の端部までをテープ３３で巻きつける（ステップｓ２）。これにより、花床用ワイヤ３１が花床部１１にしっかりと固定された花床部１１を得ることができる。なお、この際、花床用ワイヤ３１を貫通させた貫通孔に塑性接着剤を塗布し、さらに固定を強固となるようにしてもよい。
【００６２】
次に、花芯部１２を作成するために、花冠７０を２つに分割した分割花冠１２１を作成する花冠分割工程（ステップｓ３）と、分割花冠１２１を曲げ加工する花冠湾曲工程（ステップｓ４）と、曲げ加工された分割花冠１２１に花芯用ワイヤ３２を貫通して曲げる花芯用ワイヤ折曲工程（ステップｓ５）を行う。
【００６３】
具体的には、バラのプリザーブドフラワ５から分離した花冠７０から複数枚の花弁７１を丁寧に分離する（図３参照）。そして、図５に示すように、適当枚数残った花冠７０をＺ軸方向に沿って略二等分となるように丁寧に分割する（図５（ａ）参照）。
【００６４】
詳述すると、適当枚数残った花冠７０は、上方から見てＵ字型をした複数枚の花弁７１により構成されており（図示省略）、それぞれの花弁７１の開口部分が中心方向を向いている。また、Ｕ字型をした花弁７１の開口部分は、開口部分に対向する花弁７１を包み込むように形成している。そのため中心部分はＵ字型の花弁の開口部分には中央空間Ｓがある。なお、この中央空間Ｓには、本来花床６０があり、花冠７０により保護されていた。
【００６５】
この中央空間Ｓを中心として花弁７１の開口部分と逆方向に緩やかに力を加えて花冠７０を分離する。  
詳述すると、花冠７０に形成される中央空間Ｓに、例えば指を入れるなどし、花冠７０の中心において対向する花弁７１同士をそれぞれの花弁７１の開口部分とは逆方向（図中Ｙ軸方向）に緩やかな力を加え、Ｕ字部分が対向している花弁同士を分離する（図５（ａ）参照）。このように分離した花弁７１の集合体を分割花冠１２１とする（図５（ｂ）参照）。
【００６６】
このように、花弁７０を分離して得られた分割花冠１２１の形を整え、分割可弁１２１を構成する花弁７１の基端と先端とを結ぶ線を軸として曲げ加工する（図５（ｃ）参照）。この際、基端側（−Ｚ方向）の接触面同士を略重なり合わさるとともに、先端側（＋Ｚ方向）が大きな弧を形成するように曲げ加工を行う（ステップｓ４）。すなわち、分割花冠１２１を構成する花弁の基端と先端とを結んだ線を中心とした部分が湾曲するように分割花冠１２１を曲げ加工する。
【００６７】
次に、曲げ加工した分割花冠１２１において、図６に示すように、花弁が重なり合った部分を貫通するように、花芯用ワイヤ３２を曲げ加工された分割花冠１２１の下方に突き通し、花芯用ワイヤ３２の両端部分が下方に延びるように花芯用ワイヤ３２の露出部分を折り曲げる（ステップｓ５）。そして、図６（ｃ）に示すように、湾曲花弁１２ａの下方から花芯用ワイヤ３２の端部までをテープ３３で巻きつけて、湾曲花弁１２ａと花芯用ワイヤ３２とを固定する。これにより、湾曲花弁１２ａの下方を固定して花弁が湾曲した状態とした湾曲花弁１２ａを得ることができる。
【００６８】
なお、花床部１１の作成時と同様に、花芯用ワイヤ３２を分割花冠１２１の表面を突き通した際に花芯用ワイヤ３２と湾曲花弁１２ａの貫通孔とを塑性接着剤などで固定してもよい。また、分割花冠１２１を曲げ加工する際に、花弁の接触面同士、例えば基端部分の接触面同士を塑性接着剤などで接着固定してもよい。
【００６９】
次に、上述のように形成された花床部１１および湾曲花弁１２ａを接触固定する固定工程（ステップｓ６）を行う。  
具体的には、Ｙ軸方向から花床部１１を挟みこむように湾曲花弁１２ａを配置する。この際に、湾曲花弁１２ａの重ねあわせた箇所が花床部１１側を向くように方向を合わせて配置させる（図７（ａ）参照）。そして、湾曲花弁１２ａのうちテープ３３で固定している部分より上方で花床部１１を挟み込むように、湾曲花弁１２ａを花床部１１に接触させ、塑性接着剤で湾曲花弁１２と花床部１１とを接着固定する（図７（ａ）及び図７（ｂ）参照）。
【００７０】
さらに、Ｘ軸方向から花床部１１を挟みこむように花芯部１２を同様に配置し、花床部１１と湾曲花弁１２ａとを塑性接着剤を用いて固定する（図８参照）。
【００７１】
この際、それぞれの花芯部１２に貫通させた花芯用ワイヤ３２が、花床部１１に貫通させた花床用ワイヤ３１の方向（−Ｚ軸方向）に向くように調整し、花床用ワイヤ３１と花芯用ワイヤ３２とをテープ３３で巻きつけて固定する。これにより、花床用ワイヤ３１と花芯用ワイヤ３２とが強固に固定されるため、花床部１１と湾曲花弁１２ａが塑性接着剤のみの固定に比べて強固に固定される。このようにして花床部１１と湾曲花弁１２ａとを固定して中核体１０を形成する。
【００７２】
なお、本実施形態においては、花床部１１を取り囲むように湾曲花弁１２ａを４個、等間隔に配置しているが、この湾曲花弁１２ａの個数が４個である必要はなく、例えば２個であっても、３個など複数個であれば良い。しかし、湾曲花弁１２ａの数を４個乃至５個とすることにより、湾曲花弁１２ａはバランスよく花床部１１を囲むことができ、デザイン性に優れている。
【００７３】
次に、外側花弁２０に突部２１を形成し（ステップｓ７）、外側花弁２０を中核体１０の周方向に順番に配置し接着する接着工程（ステップｓ８）を行う。  
まず、外側花弁２０の裏面の基端側下方を指で押す事により、外側花弁２０の表面側に突部２１を形成する（図示省略）。次に、外側花弁２０に形成された突部２１が湾曲花弁１２ａと接触するように、すなわち突部２１を中核体側１０に向くように、外側花弁２０を中核体１０の外周面に配置し、塑性接着剤を用いて接着する（図９参照）。
【００７４】
図１０に示すように、外側花弁２０に形成された突部２１は、断面が円弧状に形成されている。このような円弧状に形成されている突部２１の湾曲花弁１２ａに対する接触部分を調整することによりと外側花弁２０の角度を自由に調整することができる。
【００７５】
具体的に、図１０（ｂ）乃至図１０（ｄ）に基づいて説明する。例えば、突部２１の最も突出している箇所である頂点部分を湾曲花弁１２ａに接触させた場合、外側花弁２０は、湾曲花弁１２ａの接触面に対して略平行した状態となる（図１０（ｂ）参照）。
【００７６】
一方で、例えば突部２１の接触箇所を突部２１の頂点から外側花弁２０の基端側に近い位置として、湾曲花弁１２ａの表面と接着させた場合（図１０（ｃ）参照）、外側花弁２０の先端側は湾曲花弁１２ａから離れた位置となる。換言すると、外側花弁２０の湾曲花弁１２ａに対する角度が、突部２１の頂点を湾曲花弁１２に接着した場合に比べて大きくなり、バラのプリザーブドフラワ１の花弁が開花したような状態を表現することができる。  
一方で、突部２１の接触箇所を突部２１の頂点から外側花弁２０の先端側に近い位置とすると（図１０（ｄ）参照）、外側花弁２０の先端が湾曲花弁１２ａと近くなる。すなわち、バラのプリザーブドフラワ１を蕾に近い状態や半壊状態とすることができる。
【００７７】
このように、中核体１０（湾曲花弁１２ａ）と接触する突部２１の接触位置を調整し、中核体１０に対する外側花弁２０の角度を変更することができ、角度を適宜所望の角度に調整することができる。
【００７８】
次に、新たな外側花弁２０を中核体１０の周方向に位置をずらしながら順次貼り付けていく。この際に、新たに貼り付ける外側花弁２０は、すでに貼り付けてある外側花弁２０の一部分と重複するように配置して接着固定する。このように重複させることにより、すでに貼り付けてある外側花弁２０の端部を新たに貼り付ける外側花弁２０で保護することができるとともに、隣接する外側花弁２０同士の接着が強固になり、外側花弁２０が中核体１０などから剥がれることを防止することができる。
【００７９】
また、本実施形態においては、５枚または６枚程度の枚数の外側花弁２０を用いてで中核体１０を一周する構成としているが、この実施形態に限られるものではない。しかし、この程度の枚数にすることによりバランスがよく美麗なバラのプリザーブドフラワアレンジメント１を提供することができる。
【００８０】
このように、外側花弁２０を中核体１０の周上において、隣接する外側花弁２０と重なり合うように順次貼り付けていくことで、適宜角度を調整して開花状態を表現できる。したがって、花芯部分が特徴的な中核体１０を有するとともに、幾重にも重なり合って開花した状態である外側花弁２０を有するバラのプリザーブドフラワアレンジメント１を製造することができる。
【００８１】
このように形成されたバラのプリザーブドフラワアレンジメント１は、バラのプリザーブドフラワ５において花被から少なくとも複数枚の花弁７１が分離された中核体１０と、花弁７１の表面に突部２１を形成した外側花弁２０とを備え、中核体１０に対して周上に配置した複数の外側花弁２０の突部２１と中核体１０とを接着固定したバラのプリザーブドフラワアレンジメント１ですることにより、多様な形状を表現したバラのプリザーブドフラワ５を提供することができる。
【００８２】
例えば、中核体１０を花被から花弁７１を分離して得られた花床部１１に対して、加工した湾曲花弁１２ａを貼り付けた形状とすることで新たな形状の中核体１０を作り出すことができ、バラのプリザーブドフラワアレンジメント１の中心部分である中核体１０の形状を新たな形状とすることができる。
【００８３】
また、外側花弁２０に備えた突部２１の形状を利用して外側花弁２０の貼り付けの角度を調整することができ、外側花弁２０を中核体１０に対して所望の角度を有するように貼り付けることができる。
【００８４】
したがって、外側花弁２０を、新たな形状である中核体１０に所望の開花状態に合わせて貼り付けることができる。このため、全体として自然に開花している状態に近いバラのプリザーブドフラワアレンジメント１のみならず、自然界に存在しない美麗なバラのプリザーブドフラワアレンジメント１を製造することができる。
【００８５】
また、プリザーブドフラワ５の花被から複数枚の花弁７１を分離して中核体１０を形成する中核体１０形成工程と、外側花弁２０に突部２１を形成する突部２１形成工程と、中核体１０に対して周上に配置した花弁７１と中核体１０とを接着固定する接着工程とを有するプリザーブドフラワアレンジメント１の製造方法とすることで同様の効果を有することができる。
【００８６】
さらにまた、花弁７１を同種または種類の異なるプリザーブドフラワのみならず生花やドライフラワなどから分離した花弁７１を用いることで従来にない新たなプリザーブドフラワアレンジメントを表現することができる。これにより、様々な開花状態を表現したバラのプリザーブドフラワアレンジメント１を製造することができるだけでなく、自然界には存在しない状態の美麗なバラのプリザーブドフラワ５として存在しないバラのプリザーブドフラワアレンジメント１を製造することができる。
【００８７】
また、中核体１０を、花被から花冠７０を分離した際に残る花床部１１と、該花床部１１の外周に沿って配置した、複数枚の花弁７１で構成した花芯部１２とで構成し、複数の外側花弁２０を花芯部１２に接着固定することにより、バラのプリザーブドフラワアレンジメント１の中心部分を形成する中核体１０を様々な形状に加工することができ、実際に存在する花以外にも中心部分に特徴のある実在しないバラのプリザーブドフラワアレンジメント１などを製造することができ、の豊かなバラのプリザーブドフラワアレンジメント１を提供することができる。
【００８８】
さらにまた、花床部１１の起立方向と交差する方向に貫通するとともに、両端を起立方向の下方に向かって折り曲げて花床部１１に固定する花床用ワイヤ３１と、花芯部１２を貫通するとともに、所定の方向に向かって両端を折り曲げた花芯部１２と固定した花芯用ワイヤ３２とを備え、花床用ワイヤ３１と花芯用ワイヤ３２とを固定することにより、中核体１０を構成する花床部１１と花芯部１２とを強固に固定できるバラのプリザーブドフラワアレンジメント１を提供することができる。
【００８９】
詳述すると、花床部１１に貫通させて両端を起立方向の下方に折り曲げて花床部１１と固定した花床用ワイヤ３１と、花芯部１２を貫通させるとともに、所定の方向に向けて折り曲げた花芯用ワイヤ３２を備えることにより、花床部１１の外周に沿って配置した花芯部１２を貫通する花芯用ワイヤ３２を花床用ワイヤ３１の方向を向くようにすることができる。
【００９０】
ここで、花床用ワイヤ３１は、花床部１１と固定されているため、花床部１１に対して花芯部１２を接着固定した後に、花芯用ワイヤ３２と花床用ワイヤ３１とをまとめてテープ３３で固定することで、花芯部１２と花床部１１とが接着固定している。これにより、花芯部１２と花床部１１との強固に固定され、花芯部１２と花床部１１とが一体として構成される。
【００９１】
したがって、例えば、大きめの外側花弁２０や大量の外側花弁２０を花芯部１２に貼り付けた場合であっても、花芯部１２は貼り付けた複数の花弁７１の重みを十分に支えて花床部１１と固定することができ、従来にない形状を有する豪華なバラのプリザーブドフラワアレンジメント１を製造することができる。
【００９２】
さらにまた、例えばミツバチなどをイメージした置物など、若干の重さを有するものを花芯部１２に配置することができる。これにより、従来では考えることができなかった新たなバラのプリザーブドフラワアレンジメント１を製造することができる。
【００９３】
なお、本実施形態においては、花床用ワイヤ３１と花芯用ワイヤ３２との固定にテープ３３を用いて固定しているが、この実施形態に限られるものではなく、例えば花芯用ワイヤ３２を花床用ワイヤ３１に巻きつけて固定してもよいし、花床用ワイヤ３１と花芯用ワイヤ３２とが嵌合するような構成としてもよい。すなわち、花床用ワイヤ３１と花芯用ワイヤ３２とが接着固定できれば、固定の形態は問わない。
【００９４】
さらにまた、花芯部１２を、起立方向に沿って花冠７０を分割した分割花冠２１で構成することにより、バラのプリザーブドフラワアレンジメント１を迅速に製造することができる。  
バラのプリザーブドフラワ５は、上述のように、生花を化学薬品に浸すことにより、長時間美しい状態維持することができるが、反面外力に対して脆いという欠点を有する。そのため、例えばバラのプリザーブドフラワ５を用いてバラのプリザーブドフラワアレンジメント１を製造する際に時間や手間をかけると、それだけ花弁７１などに外力が加わる可能性が高くなり、花弁７１などが壊れる可能性が高くなる。
【００９５】
しかし、この発明により、花弁７１が所定の枚数となった花冠７０から花弁７１を一枚一枚分離する必要が無く、短時間で花芯部１２の準備をすることができる。したがって、迅速にバラのプリザーブドフラワアレンジメント１を製造することができる。
【００９６】
また、バラのプリザーブドフラワアレンジメント１を迅速に製造できるため、花弁７１の損傷を極力減らすことができる。したがって、バラのプリザーブドフラワアレンジメント１を製造する際に使用するバラのプリザーブドフラワ５の本数も少なくすることができ、費用の削減を図ることができる。
【００９７】
さらにまた、分離された花芯部１２を構成する花弁７１の重なり具合は、人工的に重ね合わせた花弁７１の重なり具合と異なり、自然に近い状態であるため、従来にない新たな形状を有するバラのプリザーブドフラワアレンジメント１を提供することができる。
【００９８】
さらにまた、花芯部１２を形成する花弁７１を、花弁７１の基端と先端とを結んだ線を軸として、花弁７１に曲げ加工を施した湾曲花弁１２ａで構成することにより、前記中核体を起立方向に対して交差する方向に広がりを有する立体的な形状とすることができるとともに、中心部分を豪華にすることができ、従来にない形状のプリザーブドフラワアレンジメントを提供することができる。
【００９９】
詳述すると、上記曲げ加工を行った湾曲花弁１２ａを花床部１１の周方向に配置することにより、中核体１０は起立方向に対して交差する方向に広がりを有することができる。また、曲げ加工を行った湾曲花弁１２ａが立体的な広がりに加えて、湾曲花弁１２ａの外郭が花床部１１の中心方向に向かった線を表現することができる。このため、従来のように中核体１０の周方向に花弁７１などが積層された形状のみならず、中核体１０の中心に向かって伸びる線を表現に取り入れたバラのプリザーブドフラワアレンジメント１を製造することができる。したがって、中核体１０を豪華な構成とするとともに、従来にない新たな表現を取り入れたばらのプリザーブドフラワアレンジメント１を製造することができる。
【０１００】
さらにまた、例えば、曲げ加工した花芯部１２の先端と他端とを結んだ線を中心に湾曲している場合、すなわち、曲げ加工した際の先端と他端とを結んだ線を含む花弁の中心部分が曲線で構成されることとなり、これらの湾曲花弁１２ａを花床部１１に配置させた中核体１０はより柔らかい印象を与えることができる。
【０１０１】
また、湾曲花弁１２ａを、複数枚の花弁７１を重ね合わせて構成することにより、起立方向に交差する方向に対してより厚みを有するとともに、曲線が重なることにより見た目が豪華な中核体１０を形成することができ、より美麗なバラのプリザーブドフラワアレンジメント１を提供することができる。
【０１０２】
この発明の構成と、上述の実施形態との対応において、
プリザーブドフラワアレンジメントはバラのプリザーブドフラワアレンジメント１に対応し、
花芯部は、花芯部１２および湾曲花弁１２ａに対応し、
プリザーブドフラワ５はバラのプリザーブドフラワ５に対応するが、
この発明は、上述の実施形態の構成のみに限定されるものではなく、多くの実施の形態を得ることができる。  
例えばバラ以外のプリザーブドフラワを用いてプリザーブドフラワアレンジメントを製造してもよい。
【０１０３】
また、例えば、湾曲花弁１２ａを複数枚の花弁７１から構成される分割花冠１２１を曲げ加工することにより形成した構成としているが、例えば図１２に示すように、一枚の花弁７１を曲げ加工することにより構成しても良い。また、一枚ずつ花冠７０から分離した花弁７１を複数枚重ねてから曲げ加工する構成としてもよい。
【０１０４】
これにより、湾曲花弁１２ａを構成する花弁７１の枚数を多くすることにより、中核体１０に厚みを持たせることができ、逆に湾曲花弁１２ａを構成する花弁７１の枚数を減らすことで、中核体１０の厚みを無くすことができ、バラのプリザーブドフラワアレンジメント１を製造する者の個性を生かしたプリザーブドフラワアレンジメントを製造することができる。
【０１０５】
また、本実施形態では、花芯部１２を構成する花弁や外側花弁２０として花冠７０から分離した花弁７１を用いているが、例えば他のバラのプリザーブドフラワ５や別種のプリザーブドフラワなどから分離した花弁を外側花弁２０として用いても良いし、また、花芯部１２を構成する花弁７１や外側花弁２０として生花や造花などの花弁を用いても良い。
【０１０６】
また、例えば、本実施形態において、中核体１０を花被から花弁７１を分離して得られた花床部１１に対して、加工した湾曲花弁１２ａを貼り付けた形状とすることで新たな形状の中核体１０を作り出しているが、例えば、中核体１０を花被から複数枚の花弁７１を分離した残りの部分により構成とすることにより、花床部１１と花冠７０とが一体となっている自然な状態の中核体１０を用いても良い。  
これにより、自然に近い状態のバラのプリザーブドフラワアレンジメント１を製造することができる。
【符号の説明】
【０１０７】
１      バラのプリザーブドフラワアレンジメント
１０    中核体
１１    花床部
１２    花芯部、
１２ａ  湾曲花弁
１２１  分割花冠
２０    外側花弁
２１    突部
３１    花床用ワイヤ
３２    花芯用ワイヤ
３３    テープ
５      バラのプリザーブドフラワ
６０    花床
６１    生殖器官
６２    萼
７０    花冠
７１    花弁
Ｓ      中央空間
【要約】
プリザーブドフラワ（５）において、花被から少なくとも複数枚の花弁（７１）が分離された中核体（１０）と、花被から分離した花弁（７１）の基端側の表面に形成された断面円弧上の突部（２１）を有する外側花弁（２０）とを備え、中核体（１０）に対して周上に配置した複数の外側花弁（２０）に形成された突部（２１）と中核体（１０）とを接着固定することで、多様な形状を表現したプリザーブドフラワアレンジメントおよび、その製造方法を実現する。【図１】
0005901852.tif 000002
【図２】
0005901852.tif 000003
【図３】
0005901852.tif 000004
【図４】
0005901852.tif 000005
【図５】
0005901852.tif 000006
【図６】
0005901852.tif 000007
【図７】
0005901852.tif 000008
【図８】
0005901852.tif 000009
【図９】
0005901852.tif 000010
【図１０】
0005901852.tif 000011
【図１１】
0005901852.tif 000012
【図１２】
0005901852.tif 000013
【図１３】
0005901852.tif 000014